【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
装置本体に設けられた第１ガイドと、
前記装置本体に対して開閉可能な開閉部に設けられ、前記開閉部が閉じた状態で前記第１ガイドとの間にシート搬送路を形成し、前記開閉部が開く動作に伴って前記シート搬送路を開放する第２ガイドと、
前記装置本体に支持され、前記シート搬送路に対して前記第２ガイドと同じ側に設けられた回動軸を中心にして回動可能であり、前記シート搬送路を通過するシートに押圧されて回動するフラグ部材と、
前記フラグ部材の回動を検知する検知手段と、
前記装置本体に設けられたジャム処理ガイドと、を備え、
前記フラグ部材は、前記開閉部が開いた状態において、閉じた状態の前記開閉部を開くことによって前記開閉部と前記装置本体との間に生まれる空間に突出し、
前記ジャム処理ガイドは、前記開閉部が閉じた状態においては、前記シート搬送路を通過するシートの搬送を妨げない位置にあり、前記開閉部が開いた状態においては、前記フラグ部材と共に前記シート搬送路に詰まったジャムシートに接触して当該ジャムシートのシート形状を規制するように配置されている、
ことを特徴とするシート搬送装置。
【請求項２】
前記装置本体に設けられ、前記開閉部が閉じた状態で前記シート搬送路におけるシート搬送方向において前記第２ガイドの上流側に隣り合い、かつ、前記シート搬送路を通過するシートに対して前記第２ガイドが対向する面と同じ面に対向する上流ガイドをさらに備え、
前記開閉部が開いた状態において、前記ジャム処理ガイドは前記シート搬送方向における前記上流ガイドの下流端と前記フラグ部材の先端部との間でシートに接触可能である、
ことを特徴とする請求項１に記載のシート搬送装置。
【請求項３】
前記シート搬送路におけるシートの幅方向から見た前記上流ガイドの前記下流端の位置を第１の点とし、前記開閉部が開いた状態で前記フラグ部材が前記シート搬送方向の下流に向かって回動可能な範囲の限界位置まで回動したときの、前記フラグ部材の先端部の位置を第２の点とするとき、
前記シート搬送路の前記第１の点に対応する位置を通過する際のシートの移動方向に関して前記第２の点が前記第１の点より下流にあり、かつ、前記開閉部が開いた状態において前記第２の点が前記開閉部と前記装置本体との間の前記空間に突出するように、前記フラグ部材が配置され、
前記開閉部が開いた状態では、前記幅方向から見て、前記ジャム処理ガイドが前記第１の点及び前記第２の点を結ぶ線分に交差して前記第１ガイドの側へ突出した状態となるように、前記ジャム処理ガイドが配置されている、
ことを特徴とする請求項２に記載のシート搬送装置。
【請求項４】
装置本体に設けられた第１ガイドと、
前記装置本体に対して開閉可能な開閉部に設けられ、前記開閉部が閉じた状態で前記第１ガイドとの間にシート搬送路を形成し、前記開閉部が開く動作に伴って前記シート搬送路を開放する第２ガイドと、
前記装置本体に設けられ、前記開閉部が閉じた状態で前記シート搬送路におけるシート搬送方向において前記第２ガイドの上流側に隣り合い、かつ、前記シート搬送路を通過するシートに対して前記第２ガイドが対向する面と同じ面に対向する上流ガイドと、
前記装置本体に支持され、前記シート搬送路に対して前記第２ガイド及び前記上流ガイドと同じ側に設けられた回動軸を中心にして回動可能であり、前記シート搬送路を通過するシートに押圧されて回動するフラグ部材と、
前記フラグ部材の回動を検知する検知手段と、
前記装置本体に設けられたジャム処理ガイドと、を備え、
前記シート搬送方向に直交する幅方向から見た前記上流ガイドの前記シート搬送方向における下流端の位置を第１の点とし、前記開閉部が開いた状態で前記フラグ部材が前記シート搬送方向の下流に向かって回動可能な範囲の限界位置まで回動したときの、前記フラグ部材の先端位置を第２の点とするとき、
前記シート搬送路の前記第１の点に対応する位置を通過する際のシートの移動方向に関して前記第２の点が前記第１の点より下流にあり、かつ、前記開閉部が開いた状態において、前記第２の点が閉じた状態の前記開閉部を開くことで前記開閉部と前記装置本体との間に生まれる空間に突出するように、前記フラグ部材が配置され、
前記開閉部が閉じた状態では、前記幅方向から見て、前記ジャム処理ガイドが前記シート搬送路に対して前記第２ガイド及び前記上流ガイドと同じ側にあって前記シート搬送路に突出していない状態となり、前記開閉部が開いた状態では、前記幅方向から見て、前記ジャム処理ガイドが前記第１の点及び前記第２の点を結ぶ線分に交差して前記第１ガイドの側へ突出した状態となるように、前記ジャム処理ガイドが配置されている、
ことを特徴とするシート搬送装置。
【請求項５】
前記装置本体に支持され、シートを支持するシート支持部と、
前記シート支持部に支持されたシートを給送するシート給送手段と、
前記シート給送手段によって給送されたシートを挟持して搬送するシート搬送手段と、をさらに備え、
前記フラグ部材は前記シート搬送路におけるシート搬送方向において前記シート搬送手段より下流に配置される、
ことを特徴とする請求項１乃至４のいずれか１項に記載のシート搬送装置。
【請求項６】
前記装置本体は、前記開閉部を支持する本体フレームと、前記本体フレームに取り付けられた給送フレームとを有し、
前記シート支持部、前記シート搬送手段、前記フラグ部材及び前記ジャム処理ガイドは、前記給送フレームに支持されている、
ことを特徴とする請求項５に記載のシート搬送装置。
【請求項７】
前記シート支持部は、手差し給送されるシートを支持する手差しトレイである、
ことを特徴とする請求項５又は６に記載のシート搬送装置。
【請求項８】
前記ジャム処理ガイドは、前記シート搬送路におけるシートの幅方向から見て前記フラグ部材の回動軌跡と重なる位置であって、前記幅方向に関して前記フラグ部材の少なくとも一方に設けられている、
ことを特徴とする請求項１乃至７のいずれか１項に記載のシート搬送装置。
【請求項９】
前記フラグ部材は、前記幅方向において前記シート搬送路の中央位置に設けられ、
前記ジャム処理ガイドは、前記シート搬送路におけるシートの幅方向において前記フラグ部材の両側に設けられている、
ことを特徴とする請求項８に記載のシート搬送装置。
【請求項１０】
前記第２ガイドには、前記開閉部が開く際に前記ジャム処理ガイドが通過する開口部が設けられ、
前記ジャム処理ガイドは、前記シート搬送路におけるシートの幅方向に関して、前記シート搬送路を介して搬送されるシートの中で前記幅方向の長さが最も小さいシートが通過する範囲の内側に設けられ、前記範囲の外側には設けられていない、
ことを特徴とする請求項１乃至９のいずれか１項に記載のシート搬送装置。
【請求項１１】
前記検知手段は、前記フラグ部材に遮光されているか否かに応じて検知信号が変化するフォトインタラプタであり、
前記フラグ部材は、シートに押圧されていない場合の前記フラグ部材の位置を基準として、前記フォトインタラプタの検知信号が変化する角度より大きな所定角度を超えて回動することを規制されている、
ことを特徴とする請求項１乃至１０のいずれか１項に記載のシート搬送装置。
【請求項１２】
請求項１乃至１１のいずれか１項に記載のシート搬送装置と、
前記シート搬送装置によって搬送されるシートに画像を形成する画像形成手段と、を備える、
ことを特徴とする画像形成装置。
【手続補正２】
【補正対象書類名】明細書
【補正対象項目名】０００７
【補正方法】変更
【補正の内容】
【０００７】
本発明の一態様は、装置本体に設けられた第１ガイドと、前記装置本体に対して開閉可能な開閉部に設けられ、前記開閉部が閉じた状態で前記第１ガイドとの間にシート搬送路を形成し、前記開閉部が開く動作に伴って前記シート搬送路を開放する第２ガイドと、前記装置本体に支持され、前記シート搬送路に対して前記第２ガイドと同じ側に設けられた回動軸を中心にして回動可能であり、前記シート搬送路を通過するシートに押圧されて回動するフラグ部材と、前記フラグ部材の回動を検知する検知手段と、前記装置本体に設けられたジャム処理ガイドと、を備え、前記フラグ部材は、前記開閉部が開いた状態において、閉じた状態の前記開閉部を開くことによって前記開閉部と前記装置本体との間に生まれる空間に突出し、前記ジャム処理ガイドは、前記開閉部が閉じた状態においては、前記シート搬送路を通過するシートの搬送を妨げない位置にあり、前記開閉部が開いた状態においては、前記フラグ部材と共に前記シート搬送路に詰まったジャムシートに接触して当該ジャムシートのシート形状を規制するように配置されている、ことを特徴とするシート搬送装置である。
【手続補正３】
【補正対象書類名】明細書
【補正対象項目名】０００８
【補正方法】変更
【補正の内容】
【０００８】
本発明の他の態様は、装置本体に設けられた第１ガイドと、前記装置本体に対して開閉可能な開閉部に設けられ、前記開閉部が閉じた状態で前記第１ガイドとの間にシート搬送路を形成し、前記開閉部が開く動作に伴って前記シート搬送路を開放する第２ガイドと、前記装置本体に設けられ、前記開閉部が閉じた状態で前記シート搬送路におけるシート搬送方向において前記第２ガイドの上流側に隣り合い、かつ、前記シート搬送路を通過するシートに対して前記第２ガイドが対向する面と同じ面に対向する上流ガイドと、前記装置本体に支持され、前記シート搬送路に対して前記第２ガイド及び前記上流ガイドと同じ側に設けられた回動軸を中心にして回動可能であり、前記シート搬送路を通過するシートに押圧されて回動するフラグ部材と、前記フラグ部材の回動を検知する検知手段と、前記装置本体に設けられたジャム処理ガイドと、を備え、前記シート搬送方向に直交する幅方向から見た前記上流ガイドの前記シート搬送方向における下流端の位置を第１の点とし、前記開閉部が開いた状態で前記フラグ部材が前記シート搬送方向の下流に向かって回動可能な範囲の限界位置まで回動したときの、前記フラグ部材の先端位置を第２の点とするとき、前記シート搬送路の前記第１の点に対応する位置を通過する際のシートの移動方向に関して前記第２の点が前記第１の点より下流にあり、かつ、前記開閉部が開いた状態において、前記第２の点が閉じた状態の前記開閉部を開くことで前記開閉部と前記装置本体との間に生まれる空間に突出するように、前記フラグ部材が配置され、前記開閉部が閉じた状態では、前記幅方向から見て、前記ジャム処理ガイドが前記シート搬送路に対して前記第２ガイド及び前記上流ガイドと同じ側にあって前記シート搬送路に突出していない状態となり、前記開閉部が開いた状態では、前記幅方向から見て、前記ジャム処理ガイドが前記第１の点及び前記第２の点を結ぶ線分に交差して前記第１ガイドの側へ突出した状態となるように、前記ジャム処理ガイドが配置されている、ことを特徴とするシート搬送装置である。